(57)【要約】    【課題】  例えばスワイプ型の情報読取装置に代表されるように、搬送方向の走行ジッターが大きい情報読取装置おいて、二次元バーコードと、顔写真などの視覚上の特徴とを光学的に一緒に読み取ることができ、ひいては情報記録媒体の利便性を高めることが可能な情報記録媒体及び情報読取装置を提供することにある。    【解決手段】  略コ字形状のフレームの底部を走行基準面として形成してなる情報読取装置（スワイプ式イメージスキャナ１）に使用される情報記録媒体（カード２）において、情報読取装置によって情報が読み取られる領域（読み取り領域３）に、符号化情報部（二次元バーコード３１）と特徴部（顔写真３２）の各部が含まれることを特徴とする。【選択図】          図１
2006209852.tif 000002
【特許請求の範囲】
【請求項１】
情報読取装置に使用される情報記録媒体において、
前記情報記録媒体は、前記情報読取装置によって情報が読み取られる読み取り領域を有し、
前記読み取り領域には、前記情報記録媒体の所有者に関する符号化された情報を有する符号化情報部と、前記情報記録媒体の所有者に関する視覚上の特徴を有する特徴部と、が含まれることを特徴とする情報記録媒体。
【請求項２】
前記符号化情報部は、前記特徴部における視覚上の特徴を抽出した情報が符号化された情報を有することを特徴とする請求項１記載の情報記録媒体。
【請求項３】
前記読み取り領域には、前記情報読取装置において前記特徴部における視覚上の特徴を光学的に読み取る際に発生する幾何学的歪みを補正するためのマークを有するマーク部が含まれることを特徴とする請求項１又は２記載の情報記録媒体。
【請求項４】
前記マーク部は、前記特徴部に隣接していることを特徴とする請求項３記載の情報記録媒体。
【請求項５】
前記符号化情報部は、前記特徴部における視覚上の特徴を抽出した情報及び前記マーク部の特徴を抽出した情報が符号化された情報を有することを特徴とする請求項３又は４記載の情報記録媒体。
【請求項６】
前記マーク部は、前記情報読取装置における情報記録媒体の搬送方向と垂直な方向に幅をもち、かつ、当該搬送方向に対して当該幅が変化する図形を有することを特徴とする請求項３から５のいずれか記載の情報記録媒体。
【請求項７】
前記図形は、前記情報読取装置における情報記録媒体の搬送方向と垂直な方向に並んで複数個配置され、これら複数個の図形の位置的位相は、前記情報読取装置における情報記録媒体の搬送方向にずれていることを特徴とする請求項６記載の情報記録媒体。
【請求項８】
前記符号化情報部は、暗号化処理されていることを特徴とする請求項１から７のいずれか記載の情報記録媒体。
【請求項９】
請求項１から８のいずれか記載の情報記録媒体に記録された情報を読み取る読み取り手段を備えることを特徴とする情報読取装置。
【請求項１０】
走行路を形成するフレームを有し、当該フレームの一部が走行基準面として形成され、当該走行基準面に添って情報記録媒体がスワイプされることによって情報を読み取ることを特徴とする請求項９記載の情報読取装置。
【発明の詳細な説明】
【技術分野】
【０００１】
本発明は、所定の情報を記録する紙やプラスチックなどの情報記録媒体、及び、その情報記録媒体に記録された情報を読み取る情報読取装置に関する。
【背景技術】
【０００２】
従来より、例えば免許証，キャッシュカード又はクレジットカードなど、様々な個人情報が記録された情報記録媒体がある。情報記録媒体では、個人情報を記録するにあたって、磁気ストライプ，ＩＣチップ又はバーコードなどが使用される。このうち、最も簡易かつ安価に個人情報を記録できるのが、バーコードである。バーコードは、商品の流通分野を含む多方面で広く使用されており、例えば、米国運転免許証では、ＰＤＦ４１７と呼ばれる符合体系のスタック型バーコードが使用されている。なお、近年になって、一次元バーコードを積み重ねることによって情報量を増加させた二次元バーコードが広く普及している。
【０００３】
二次元バーコードに記録された個人情報を読み取る手法としては、種々ある。例えば、二次元イメージセンサが組み込まれたカメラを用いて対象物（二次元バーコード）を撮像し、得られた二次元画像データを解析して個人情報を読み取る手法や、フラットベットスキャナを用いて、ガラス上に載置された対象物（の二次元バーコード）を反対側から光学的に読み取る手法などがある。しかし、これらの手法は、いずれも高価な機器や広い設置環境が必要になることから、例えばデパートの受付や個人ユースには不向きである。そのため、受付や個人ユースでは、カードの端を手に持ち（手でつまみ）、カードをスワイプさせて二次元バーコードに記録された情報を読み取るスワイプ型の情報読取装置が広く使用されている。
【０００４】
ところで、情報記録媒体の中には、二次元バーコードが印刷されているのみならず、顔写真が一緒に掲載されたカードがある。例えば、図６に示すプラスチック製のカード１００は、下方に二次元バーコード１０１が印刷されるとともに、左上隅に顔写真１０２が掲載されている。また、例えば特許文献１に開示されたＩＤカード（特許文献１の図５参照）は、下方にバーコード（顔写真内容コード）が印刷されるとともに、左方に上半身の写真が掲載されている。
【０００５】
このように、顔写真，指紋又はサインなどの視覚上の特徴が掲載されたカードは、セキュリティ面での信頼性が高くなる。例えば、カードに顔写真を掲載し、その顔写真の特徴（目・口・鼻の中心位置や大きさなど）を符号化して二次元バーコードの中に埋め込んでおく。そうすると、顔写真が他人のものと差し替えられたとしても、二次元バーコードと顔写真を光学的に読み取って、その顔写真の特徴と、その二次元バーコードに埋め込まれた顔写真の特徴とを照合することによって、偽造犯罪を簡易に防止することができる。
【０００６】
【特許文献１】特開２００１−５２１４２号公報（図５）
【発明の開示】
【発明が解決しようとする課題】
【０００７】
しかしながら、上述したように、二次元バーコード及び顔写真を備え、偽造犯罪の防止にも寄与し得るカードであっても、受付や個人ユースで使用されるスワイプ型の情報読取装置によって情報を読み取られる場合には、その効果を十分に発揮することができない。
【０００８】
すなわち、上述した従来のカードは、図６に示すように、顔写真などの視覚上の特徴が、カードをスワイプさせたときに個人情報が読み取られる読み取り領域（図６中の斜線部）以外の領域（左上隅）に掲載されていることから、スワイプ型の情報読取装置によっては、顔写真などの視覚上の特徴を光学的に一緒に読み取ることができない。その結果、上述した偽造犯罪などを簡易に防止することができず、カードの利便性に乏しい面がある。
【０００９】
一方で、受付や個人ユースにおいて、スワイプ型の情報読取装置以外の二次元イメージセンサやフラットベットスキャナを利用すれば、二次元バーコードと、顔写真などの視覚上の特徴とを光学的に一緒に読み取ることは可能であるが、コスト上昇を招いたり、広い設置環境が必要になったりと、市場普及の妨げとなる要因を数多く含む。そのため、スワイプ型の情報読取装置のみで、二次元バーコードと、顔写真などの視覚上の特徴とを光学的に一緒に読み取ることができるカードの登場が望まれる。
【００１０】
本発明は、このような点に鑑みてなされたものであり、その目的は、情報読取装置において、二次元バーコードと、顔写真などの視覚上の特徴とを光学的に一緒に読み取ることができ、ひいては情報記録媒体の利便性を高めることが可能な情報記録媒体及び情報読取装置を提供することにある。
【課題を解決するための手段】
【００１１】
以上のような課題を解決するために、本発明は、情報読取装置に使用される情報記録媒体において、情報読取装置によって情報が読み取られる領域に、符号化情報部と特徴部の各部が含まれることを特徴とする。
【００１２】
より具体的には、本発明は、以下のものを提供する。
【００１３】
（１）  情報読取装置に使用される情報記録媒体において、前記情報記録媒体は、前記情報読取装置によって情報が読み取られる読み取り領域を有し、前記読み取り領域には、前記情報記録媒体の所有者に関する符号化された情報を有する符号化情報部と、前記情報記録媒体の所有者に関する視覚上の特徴を有する特徴部と、が含まれることを特徴とする情報記録媒体。
【００１４】
本発明によれば、情報読取装置に使用される情報記録媒体において、その情報記録媒体は、情報読取装置によって情報が読み取られる読み取り領域を有しており、その読み取り領域には、例えば二次元バーコードなど、情報記録媒体の所有者に関する符号化された情報を有する符号化情報部と、例えば顔写真，指紋又はサインなど、情報記録媒体の所有者に関する視覚上の特徴を有する特徴部と、が含まれることとしたから、従来のカードとは異なり、二次元バーコードなどの符号化情報部だけでなく、顔写真などの特徴部も、上述した読み取り領域に含まれることとなる。
【００１５】
従って、従来は、二次元バーコードと、顔写真などの視覚上の特徴とを光学的に一緒に読み取ろうとすると、二次元イメージセンサやフラットベットスキャナなど、広い設置環境を要し、かつ、高価な装置が必要であったが、本発明によれば、例えば受付や個人ユースで広く使用されている手動式（スワイプ型の）情報読取装置さえあれば、上述の高価な装置を必要とすることなく、これらを光学的に一緒に（１回のスワイプで）読み取ることができるので、情報記録媒体の利便性を高めることができる。
【００１６】
ここで、「情報記録媒体の所有者に関する符号化された情報を有する符号化情報部」としては、例えば一次元バーコードや二次元バーコード（スタック式又はマトリックス式）などが挙げられるが、その他、符号化された所定の情報（特に個人情報）を有するコード全てを含む。また、「符号化情報部」は、「情報記録媒体の所有者に関する符号化された情報」以外の情報を有していてもよい。なお、「情報記録媒体の所有者に関する符号化された情報」としては、例えば、情報記録媒体所有者の氏名，住所，電話番号，生年月日，家族構成，口座番号など、様々なものが挙げられる。
【００１７】
一方で、「情報記録媒体の所有者に関する視覚上の特徴を有する特徴部」としては、例えば顔写真，指紋又はサインなどが挙げられるが、視覚上の特徴として認識しうるものであれば、如何なるものであっても構わない。
【００１８】
（２）  前記符号化情報部は、前記特徴部における視覚上の特徴を抽出した情報が符号化された情報を有することを特徴とする（１）記載の情報記録媒体。
【００１９】
本発明によれば、上述した符号化情報部は、上述した特徴部における視覚上の特徴を抽出した情報が符号化された情報を有することとしたから、セキュリティ面での信頼性を向上させることができる。
【００２０】
すなわち、符号化情報部に、顔写真の中の目や鼻など、視覚上の特徴を抽出した情報が符号化された情報を予め埋め込んでおくことで、仮に、情報記録媒体に掲載された視覚上の特徴が他人のものと差し替えられた場合であっても、その視覚上の特徴と、予め符号化情報部に埋め込んだ視覚上の特徴とを照合することによって、偽造犯罪を防止することができ、ひいてはセキュリティ面での信頼性を向上させることができる。
【００２１】
一方で、符号化情報部が改竄された場合であっても、同様に照合することで、偽造犯罪を防止することができる。このように、本発明によれば、符号化情報部と特徴部との整合性の有無が判断できるようになるので、セキュアな情報記録媒体を提供することができる。
【００２２】
（３）  前記読み取り領域には、前記情報読取装置において前記特徴部における視覚上の特徴を光学的に読み取る際に発生する幾何学的歪みを補正するためのマークを有するマーク部が含まれることを特徴とする（１）又は（２）記載の情報記録媒体。
【００２３】
本発明によれば、上述した読み取り領域には、情報読取装置において特徴部における視覚上の特徴を光学的に読み取る際に発生する幾何学的歪みを補正するためのマークを有するマーク部が含まれるので、搬送方向のジッターによる画像の歪みを補正することが可能になる。
【００２４】
すなわち、顔写真，指紋又はサインなどの視覚上の特徴を上述の読み取り領域に掲載すると、スワイプに起因した搬送方向のジッターが生じ、顔画像，指紋画像又はサイン画像が歪む場合があるが、本発明によれば、上述したマーク部を光学的に読み取ることによって得られる補正情報を基にして、その歪みを補正することができる。
ここで、読み取り領域内におけるマーク部の位置については、特に限定されない。例えば、符号化情報部に隣接していてもよいし、符号化情報部の内部にあってもよい。このようにすることで、情報読取装置において符号化情報部を光学的に読み取る際に、搬送方向のジッターによる画像の歪みを補正することができる。特に、ＰＤＦ４１７の符号体系以外のバーコードは、搬送方向のジッターによって悪影響を受けやすいが、本発明によれば、このジッターによる悪影響を低減することができる。
【００２５】
（４）  前記マーク部は、前記特徴部に隣接していることを特徴とする（３）記載の情報記録媒体。
【００２６】
本発明によれば、上述したマーク部は、特徴部に隣接していることとしたので、スワイプ時に、イメージセンサの正面を通過するマーク部と特徴部の移動速度が同じになり、その結果、情報読取装置において、搬送方向のジッターによる画像の歪みを補正する際の精度を向上させることができる。
【００２７】
（５）  前記符号化情報部は、前記特徴部における視覚上の特徴を抽出した情報及び前記マーク部の特徴を抽出した情報が符号化された情報を有することを特徴とする（３）又は（４）記載の情報記録媒体。
【００２８】
本発明によれば、上述した符号化情報部は、特徴部における視覚上の特徴を抽出した情報及びマーク部の特徴を抽出した情報が符号化された情報を有することとしたので、仮に、特徴部やマーク部が改竄された（例えば写真が貼り替えられた）としても、その改竄を適切に検出することができ、ひいてはセキュリティ面での信頼性を向上させることができる。
【００２９】
（６）  前記マーク部は、前記情報読取装置における情報記録媒体の搬送方向と垂直な方向に幅をもち、かつ、当該搬送方向に対して当該幅が変化する図形を有することを特徴とする（３）から（５）のいずれか記載の情報記録媒体。
【００３０】
本発明によれば、上述したマーク部は、情報読取装置における情報記録媒体の搬送方向と垂直な方向に幅をもち、かつ、搬送方向に対してその幅が変化する図形を有することとしたから、このマーク部は連続的な位置情報となり、搬送方向のジッターによる画像の歪みを補正するのに必要な情報を、高い分解能で取り出すことができる。その結果、情報読取装置において、搬送方向のジッターによる画像の歪みを補正する際の精度を向上させることができる。
【００３１】
（７）  前記図形は、前記情報読取装置における情報記録媒体の搬送方向と垂直な方向に並んで複数個配置され、これら複数個の図形の位置的位相は、前記情報読取装置における情報記録媒体の搬送方向にずれていることを特徴とする（６）記載の情報記録媒体。
【００３２】
本発明によれば、上述した図形は、情報読取装置における情報記録媒体の搬送方向と垂直な方向に並んで複数個配置され、これら複数個の図形の位置的位相は、情報読取装置における情報記録媒体の搬送方向にずれていることとしたから、情報記録媒体上のレイアウトを考慮して、情報記録媒体の搬送方向と垂直な方向の幅をある程度小さくし、複数のセグメントをもつ複数個の図形を考えた場合であっても、情報読取装置において搬送方向のジッターによる画像の歪みを補正するのに必要な情報を、精度良く取り出すことができる。
【００３３】
（８）  前記符号化情報部は、暗号化処理されていることを特徴とする（１）から（７）のいずれか記載の情報記録媒体。
【００３４】
本発明によれば、上述した符号化情報部は、暗号化処理されていることとしたから、例えば、符号化情報部から、特徴部における視覚上の特徴を抽出した情報を取り出すことが不可能になり、情報記録媒体の違法複製を防止することができ、ひいてはセキュアな媒体を提供することができる。
【００３５】
ここで、符号化情報部が「暗号化処理されている」とは、特徴部における視覚上の特徴を抽出した情報が既に組み込まれた符号化情報部に於いて暗号化処理が施されているのは勿論のこと、予め特徴部における視覚上の特徴を抽出した情報を暗号化しておき、その暗号化されたものが、符号化情報部に対して組み込まれることをも含む趣旨である。
【００３６】
なお、暗号化方式については、その種類の如何を問わない。例えば、特徴部における視覚上の特徴を抽出した情報が既に組み込まれた符号化情報部において暗号化処理を施す場合には、ＥＡＮ／ＪＡＮ，ＵＰＣ，ＩＴＦ，ＣＯＤＥ３９，ＣＯＤＥ１２８，ＥＡＮ１２８，ＮＷ−７，Ｃｏｄｅ２ｏｆ５など、様々なものが挙げられる。一方で、予め特徴部における視覚上の特徴を抽出した情報を暗号化しておき、その暗号化されたものが符号化情報部に対して組み込まれる場合には、共通鍵暗号による暗号化方式、公開鍵暗号による暗号化方式、メッセージ認証方式、デジタル署名方式、電子透かしによる埋め込み方式など、様々なものを採用することができる。さらに、特徴部における視覚上の特徴を抽出した情報が既に組み込まれた符号化情報部に於いて、共通鍵暗号による暗号化方式、公開鍵暗号による暗号化方式、メッセージ認証方式、デジタル署名方式、電子透かしによる埋め込み方式などの暗号化処理を施すこともできる。更に、暗号化する対象は、「所有者に関する符号化された情報」の全て又は一部と、特徴部における視覚上の特徴を抽出した情報とを含むものであってもよい。
【００３７】
（９）  （１）から（８）のいずれか記載の情報記録媒体に記録された情報を読み取る読み取り手段を備えることを特徴とする情報読取装置。
【００３８】
本発明によれば、情報読取装置に、上述した情報記録媒体に記録された情報を読み取る読み取り手段を設けることとしたので、例えば二次元バーコードと、顔写真などの視覚上の特徴とを光学的に一緒に読み取ることができる。
（１０）  走行路を形成するフレームを有し、当該フレームの一部が走行基準面として形成され、当該走行基準面に添って情報記録媒体がスワイプされることによって情報を読み取ることを特徴とする（９）記載の情報読取装置。
本発明によれば、例えば略コ字形状のフレームの一部（例えば底部）が走行基準面として形成され、その走行基準面に添って情報記録媒体がスワイプされることによって情報を読み取る情報読取装置において、例えば二次元バーコードと、顔写真などの視覚上の特徴とを光学的に一緒に読み取ることができる。
【発明の効果】
【００３９】
本発明に係る情報記録媒体及び情報読取装置は、以上説明したように、例えば二次元バーコードと、顔写真などの視覚上の特徴とを光学的に一緒に読み取ることができ、ひいては情報記録媒体の利便性を高めることができる。また、視覚上の特徴を抽出した情報が符号化された情報が符号化情報部に組み込まれることで、セキュリティ面での信頼性を向上させることができる。さらに、上述したマークを読み取り領域に設けることで、搬送方向のジッターによる画像の歪みを補正することができる。
【発明を実施するための最良の形態】
【００４０】
以下、本発明を実施するための最良の形態について、図面を参照しながら説明する。
【００４１】
［外観構成］
図１は、本発明の実施の形態に係るスワイプ式イメージスキャナ１及びカード２の外観構成の概要を示す模式図である。図１（ａ）は、カード２をスワイプ式イメージスキャナ１に通している様子を示しており、図１（ｂ）は、カード２を正面から見て拡大した様子を示している。
【００４２】
図１（ａ）において、本発明の実施の形態に係るスワイプ式イメージスキャナ１は、断面形状がほぼコ字形状をなすフレームを有しており、このフレームの底部をカード走行基準面として形成されている。また、この底部を挟んで対向する２つの側板部の間に、カード通路１ａが形成されている。なお、スワイプ式イメージスキャナ１の電気的構成については後述する。
【００４３】
一方で、図１（ｂ）において、本発明の実施の形態に係るカード２は、ＪＩＳに準拠している一般的なカードであって、例えば、幅８６ｍｍ，高さ５４ｍｍ，厚み０．７６ｍｍというサイズのプラスチックカードである。なお、ここではプラスチックカードを採用したが、例えば、スタンプカードなどの紙カード，カード内部にＩＣチップが内蔵されたＩＣカード，カード表面に特殊な塗工を施してデータの書き換えが可能なリライトカードなど、その種類の如何は問わない。また、サイズに関しても、如何なるサイズであってもよい。さらに、ＩＳＵ１００対象の情報記録媒体を採用することもできる。
【００４４】
カード２は、スワイプ式イメージスキャナ１によって情報が読み取られる読み取り領域３を有しており、その読み取り領域３には、カード２の所有者に関する符号化された情報を有する二次元バーコード３１と、カード２の所有者に関する視覚上の特徴を有する顔写真３２と、が含まれている。このうち、二次元バーコード３１は、１次元バーコードを拡張したものであり、例えば、ソフト又はハードによって情報を二次元コードに変換（エンコード）し、その２次元コードをプリンタによってカード２に印刷することで、作成される。
【００４５】
なお、ここでは顔写真３２を二次元バーコード３１の右方に掲載（配置）することとしたが、読み取り領域３の内部であれば、種々配置変更可能である。また、図１（ｂ）では、読み取り領域３は、およそ下半分（１／２）となっているが、下から３／１であっても２／３であっても、その面積の如何は問わない。更に、場合によっては、図１（ｂ）の縦方向に読み取り領域３が設けられていてもよい。
【００４６】
このように、カード２の所有者に関する符号化された情報（例えば氏名や住所など）を有する二次元バーコード３１と、カード２の所有者に関する視覚上の特徴（目，鼻又は口など）を有する顔写真３２とを、図１（ｂ）に示すように読み取り領域３の内部に配置することによって、二次元バーコード３１と顔写真１０２とを光学的に一緒に（１回のスワイプで）読み取ることができるようになる。その結果、カード２の利便性を高めることが可能になる。
【００４７】
また、二次元バーコード３１には、顔写真３２が有する目，鼻又は口の中心位置や大きさが符号化された情報が含まれる場合がある。これにより、仮に、カード２の顔写真３２が他人のものと差し替えられた（偽造された）場合であっても、その他人の顔写真の特徴と、二次元バーコード３１に含まれている自分の顔写真の特徴とを照合することによって、偽造犯罪を防止することができ、ひいてはセキュリティ面での信頼性を向上させることができる。
【００４８】
さらに、二次元バーコード３１は、単に符号化されたものだけではなく、暗号化処理されているものであってもよい。すなわち、顔写真３２における視覚上の特徴を抽出した情報（目や鼻の大きさ・位置など）が既に組み込まれた二次元バーコード３１に、ＵＰＣ，ＩＴＦ，ＣＯＤＥ３９などの暗号化処理が施されていてもよい。これにより、よりセキュアな媒体を提供することができる。
一方で、予め顔写真３２における視覚上の特徴を抽出した情報（目や鼻の大きさ・位置など）を暗号化しておき、その暗号化されたものが二次元バーコード３１に組み込まれていてもよい。例えば、予め情報を暗号化しておいて、その後、二次元バーコード３１にエンコードしてカード２に印刷する。そして、カード２をスワイプ式イメージスキャナ１で読み取ってデコードしてから、暗号化されたデータを復号化する、という共通鍵暗号による暗号化方式を採用することができる。また、予め情報を公開鍵暗号の公開鍵で暗号化してから二次元バーコード３１にエンコードし、その二次元バーコード３１をスワイプ式イメージスキャナ１で読み取ってデコードしてから、公開鍵暗号の秘密鍵によって復号化する、という公開鍵暗号による暗号化方式を採用することもできる。また、共通鍵暗号により、二次元バーコード３１にする前の元情報のメッセージ認証子を作成しておき、元情報とメッセージ認証子を一緒に二次元バーコード３１にエンコードする。そして、二次元バーコード３１をデコードした後に、データ中のメッセージ認証子の正当性を検証する、というメッセージ認証方式を採用することもできる。さらに、公開鍵方式を用いて、二次元バーコード３１にする前の元情報のデジタル署名を作成しておき、元情報とデジタル署名を一緒に二次元バーコード３１にエンコードする。そして、二次元バーコード３１をデコードした後に、データ中のデジタル署名の正当性を検証する、というデジタル署名方式を採用することもできる。その他、電子透かしによる埋め込み方式を採用することもできる。
［電気的構成］
【００４９】
図２は、本発明の実施の形態に係るスワイプ式イメージスキャナ１の電気的構成を示す模式図である。
【００５０】
図２において、本発明の実施の形態に係るスワイプ式イメージスキャナ１は、密着型のイメージセンサ１１と、カード２がカード通路１ａを通過するときに、カード２と接触して回転するパッドローラ１２と、パッドローラ１２の回転を検出してカード２の位置情報を取得するエンコーダ１３と、を有する。また、イメージセンサ１１は、撮像された二次元バーコード３１や顔写真３２の画像データを記憶する画像メモリ１４と電気的に接続され、その画像メモリ１４は、画像メモリ１４から取り込んだ画像データに対して様々な処理を施す画像処理手段１５と電気的に接続されている。
【００５１】
以上のような電気的構成に基づき、本発明の実施の形態に係るスワイプ式イメージスキャナ１の動作について説明する。
【００５２】
まず、イメージセンサ（撮像素子）１１は、カード通路１ａを通過するカード２の二次元バーコード３１及び顔写真３２を光電変換によって撮像する。そして、撮像された二次元バーコード３１の画像データは、画像メモリ１４において記憶される。なお、この画像メモリ１４は、ＲＡＭ，ＳＤＲＡＭ,ＤＤＲＳＤＲＡＭ，ＲＤＲＡＭなど、画像データを記憶しうるものであれば如何なるものであってもよい。その後、画像処理手段１５は、画像メモリ１４に記憶されている画像データを読み込んで、位置検出処理，構造解析処理，復号処理などの信号処理を行う。これにより、二次元バーコード３１の読み取りが完了する。
【００５３】
一方で、イメージセンサ１１によって撮像された顔写真３２の画像データも、画像メモリ１４（他の画像メモリでもよい）に記憶された後、画像処理手段１５（他の画像処理手段でもよい）において種々の信号処理が行われる。なお、顔写真３２の視覚上の特徴を抽出する手法としては、例えば、最短距離法，判別分析，ベイズの決定境界，マハラノビスの汎距離，決定木法，ニューラルネットワークなど様々な手法があるが、その種類の如何を問わない。
【００５４】
このように、本発明の実施の形態に係るスワイプ式イメージスキャナ１によれば、二次元バーコード３１と、顔写真３２の視覚上の特徴とを光学的に１回のスワイプで読み取ることができる。なお、本発明は、二次元バーコード３１と、顔写真３２の視覚上の特徴とを、必ずしも１回のスワイプで読み取らなければならない趣旨ではない。例えば、１回目のスワイプで二次元バーコード３１を読み取り、２回目のスワイプで顔写真３２の視覚上の特徴を読み取るようにすることも可能である。
【００５５】
また、上述のとおり、カード２の二次元バーコード３１に、顔写真３２が有する視覚上の特徴を埋め込んでおくことで、顔写真を差し替えて偽造するなどの犯罪を防止することができ、ひいてはカード認識のセキュリティ性を向上させることができる。
【００５６】
［変形例］
図３は、本発明の他の実施の形態に係るカード２の外観構成の概要を示す模式図である。なお、図１（ｂ）と同じ要素については、同符号で示すものとする。
【００５７】
図３（ａ）において、本発明の他の実施の形態に係るカード２の特徴としては、その読み取り領域３に三角形のマーク４が含まれている点である。これは、スワイプ式イメージスキャナ１の画像処理手段１５（図２参照）において、顔写真３２の幾何学的な歪みを補正するために設けられたものである。
【００５８】
すなわち、スワイプ式イメージスキャナ１では、人間がカード２をもってスワイプする、という人為的動作が介在するため、カード２がカード通路１ａを一定速度で通過しない場合がある。かかる場合には、画像メモリ１４（図２参照）に記憶された画像データに搬送方向のジッターが生じ、顔画像が歪んでしまう。読み取り領域３に含まれるマーク４は、この幾何学的歪みを補正するために設けられたものである。このマーク３を用いた歪み補正の仕組みについては、図４を用いて後述する。
【００５９】
なお、図３（ａ）では、カード２の所有者に関する視覚上の特徴を有するものとして顔写真３２を採用したが、例えば、図３（ｂ）に示すように指紋３２'を採用してもよいし、図３（ｃ）に示すようにサイン３２''を採用してもよい。
【００６０】
また、図３（ａ）では、三角形のマーク４は、顔写真３２の真下に掲載（配置）されているが、本発明は、かかる配置構成に限定される趣旨ではない。カード２の読み取り領域３内であれば、如何なる位置であっても構わない。例えば、二次元バーコード３１に隣接する位置であっても、二次元バーコード３１と重なっていても構わない。特に、図３（ａ）に示すように、顔写真３２に隣接する位置に掲載することによって、スワイプ時に、イメージセンサ１１の正面を通過するマーク４と顔写真３２の移動速度が同じになり、その結果、スワイプ式イメージスキャナ１において、搬送方向のジッターによる画像の歪みを補正する際の精度を高めることができる。
【００６１】
さらに、図３（ａ）において、二次元バーコード３１に、マーク４の視覚上の特徴（例えば三角形の周囲の長さ・面積など）が符号化された情報を埋め込んでもよい。これにより、マーク４が改変されたとしても、その改変を適切に検出することが可能になり、ひいてはセキュリティ面での信頼性を向上させることができる。
【００６２】
図４は、スワイプ式イメージスキャナ１において、マーク４の画像データを用いた歪み補正が実行される仕組みを説明するための説明図である。図４には、顔写真３２の任意の一部分に相当する真円部３２ａと、顔写真３２の下方に掲載されたマーク４と、が示されている。
【００６３】
まず、スワイプ式イメージスキャナ１において、画像メモリ１４の画像データに搬送方向のジッターが生じていない場合（図４（ａ））のマーク４の所定寸法を予め記憶させておく。例えば、図４（ａ）では、マーク４の高さがＢ（１個又は数個の数値からなる）になるときの水平方向の長さをＡとして記憶させておく。
【００６４】
そして、画像メモリ１４に記憶された画像データに、例えば図４（ｂ）に示すような搬送方向のジッターが生じたと仮定する。すなわち、真円部３２ａの画像データが搬送方向（図中の水平方向）に歪むとともに、マーク４の画像データも同様に搬送方向に歪んだと仮定する。
【００６５】
この場合、スワイプ式イメージスキャナ１（の画像処理手段１５）では、マーク４の高さがＢ'（＝Ｂ）になるときの水平方向の長さＡ'が検出され、水平方向の長さＡ'の区間では、真円部３２ａ及びマーク４の画像データが搬送方向にＡ'／Ａの倍率で歪んでいることが認識される（上述したＡ'／Ａの倍率が１になるときは、搬送方向のジッターは生じておらず、１以外になるときは、搬送方向のジッターが生じている、と認識される）。
【００６６】
このようにして、マーク４の高さＢ'を適宜変更し、複数個の水平方向の長さＡ'を検出する。そうすると、搬送方向に歪んでいる長さＡ'の区間のうち、実際に歪んでいる区間Ｈ１を特定することができる。また、同様にして、実際に歪んでいる区間Ｈ２も特定することができる。従って、スワイプ式イメージスキャナ１（の画像処理手段１５）は、かかる補正情報（歪んでいる区間や歪んでいる倍率）を基にして、その歪みを補正することが可能になる。
【００６７】
図５は、マーク４の外観の変更した様子を説明するための説明図である。
【００６８】
図５（ａ）において、三角形のマーク４ａは、図４（ａ）に示すマーク４と同様の図形である。このように、スワイプ式イメージスキャナ１におけるカード２の搬送方向と垂直な方向（図５中の縦方向）に幅をもつ図形とすることで、図４を用いて上述したように、歪んでいる区間を特定することが可能になる。
【００６９】
ここで、スワイプ式イメージスキャナ１におけるカード２の搬送方向と垂直な方向に幅をもつ図形としては、様々なものが挙げられる。例えば、図５（ａ）において、マーク４ｂやマーク４ｃに示すように、マーク４ａと線対称の図形としてもよいし、マーク４ｄに示すように、マーク４ａとマーク４ｂを結合したような図形としてもよい。また、図示しないが、四角形，二本の非平行な直線などであってもよいし、顔写真３２の形成する輪郭（四角枠）や、顔写真３２の中に含まれている線図部分や、それに付帯させた線図との組合せなどであってもよい。さらに、図５（ｂ）において、マーク４ｅが示すように、サイン３２''を囲むような三角形の図形としてもよい。加えて、コントラストにて分別できれば、図柄が重なっている図形であってもよい。
【００７０】
また、歪み補正の精度（分解能）を上げるには、マーク４（マーク４ａ〜４ｅ）において、カード２の搬送方向と垂直な方向に対する変化量を大きくすればよい。例えば、図５（ａ）又は図５（ｂ）では、横長の三角形となっているが、これを縦長の三角形にしたり、一本の縦長の直線にしたりする等である。しかし、例えば４５度の変化量で三角形のマーク４を作成すると、カード２の規定の範囲内（例えば高さ５４ｍｍの範囲内）にレイアウトできなくなる場合がある。そこで、図５（ｃ）において、マーク４ｆが示すように、４５度の変化量を維持しながら幾つかのセグメントに分割した図形が考えられる。これにより、マークの高さをある程度抑えた上で、歪み補正の精度を上げることができる。
【００７１】
一方で、セグメント化されたマーク４ｆは、単調増加又は単調減少を繰り返す図形となるため、その変化点（例えばＸ部分）では、図５（ｄ）に示すように円くなったりする。従って、これを改善すべく、マーク４ｆと線対称な図形であるマーク４ｇを組合せ、両者の位置的位相をカード２の搬送方向にずらして配置する。これにより、マーク４ｆの図形が直線的でない部分であっても、マーク４ｇの直線的な部分を用いることによって、精度良く歪み補正を行うことができる。
【００７２】
なお、歪み補正は、マーク４を止め、エンコーダ等の機器を用いて行うことも考えられるが、かかる方法は、エンコーダ等の機器を用いることが原因でコスト上昇や容積増大を招く結果、小型化・コンパクト化の時代の流れに逆らうことになる。この点、本発明を用いた歪み補正よれば、カード２に所定のマーク４を配置するだけで、搬送方向のジッターよる歪みを補正することができ、ひいてはスワイプ式イメージスキャナ１やカード２の信頼性を簡易に向上させることができる。
【産業上の利用可能性】
【００７３】
本発明に係る情報記録媒体及び情報読取装置は、二次元バーコードと、顔写真などの視覚上の特徴とを光学的に一緒に読み取ることが可能なものとして有用である。
【図面の簡単な説明】
【００７４】
【図１】本発明の実施の形態に係るスワイプ式イメージスキャナ及びカードの外観構成の概要を示す模式図である。
【図２】本発明の実施の形態に係るスワイプ式イメージスキャナの電気的構成を示す模式図である。
【図３】本発明の他の実施の形態に係るカードの外観構成の概要を示す模式図である。
【図４】スワイプ式イメージスキャナにおいて、マークの画像データを用いた歪み補正が実行される仕組みを説明するための説明図である。
【図５】マークの外観の変更した様子を説明するための説明図である。
【図６】従来例を説明するための模式図である。
【符号の説明】
【００７５】
１  スワイプ式イメージスキャナ
２  カード
３  読み取り領域
４  マーク
１１  イメージセンサ
１２  パッドローラ
１３  エンコーダ
１４  画像メモリ
１５  画像処理手段
【図１】
2006209852.tif 000003
【図２】
2006209852.tif 000004
【図３】
2006209852.tif 000005
【図４】
2006209852.tif 000006
【図５】
2006209852.tif 000007
【図６】
2006209852.tif 000008